(57)【要約】    【課題】      表示画面を他の表示装置に表示させる際に、処理負担を少なくするとともに安定して表示すること。    【解決手段】  アプリＣＰＵ１１０は、メモリ１５０を備えている。アプリＣＰＵ１１０は、メモリ１５０に格納された画像信号を読み出して、読み出した一画面を形成する画像信号を奇数行または偶数行毎にビデオ出力ＬＳＩ１９０に転送する。ビデオ出力ＬＳＩ１９０は、アプリＣＰＵ１１０により転送された画像信号をコンポジットビデオ信号に変換して出力する。これにより、携帯電話の表示画面はコンポジットビデオ信号を表示可能なテレビに安定して表示される。  【選択図】      図１
2005260582.tif 000002
【特許請求の範囲】
【請求項１】
画像信号を転送する転送手段と、
前記転送手段により転送される画像信号をコンポジットビデオ信号に変換して出力するビデオ信号出力手段とを有し、
前記転送手段は、一画面を形成する画像信号を奇数行または偶数行毎に前記ビデオ信号出力手段に転送することを特徴とする無線受信装置。
【請求項２】
画像信号を転送する転送手段と、
前記転送手段により転送される画像信号をコンポジットビデオ信号に変換して出力するビデオ信号出力手段とを有し、
前記ビデオ信号出力手段は、前記転送手段から転送される画像信号を格納するビデオ信号記憶手段と、
前記ビデオ信号記憶手段に画像信号を読み書きするビデオ信号制御手段とを備え、
前記ビデオ信号記憶手段は、転送される前記画像信号のうち垂直同期信号をトリガーに画像データを書き込むライト面、エンコーダ部に画像データを出力するために読み出すリード面、および１画面分前の画像データがすでに書き込み終了しているリード待機面の３画面分のバッファを有することを特徴とする無線受信装置。
【請求項３】
画像信号を転送する転送手段と、
前記転送手段により転送される画像信号をコンポジットビデオ信号に変換して出力するビデオ信号出力手段とを有し、
前記ビデオ信号出力手段は、前記転送手段から転送される画像信号を格納するビデオ信号記憶手段と、
前記ビデオ信号記憶手段に画像信号を読み書きするビデオ信号制御手段とを備え、
前記ビデオ信号記憶手段は複数のバンクメモリを有し、
前記ビデオ信号制御手段は、転送される前記画像信号のスキャン方向と出力する前記コンポジット信号のスキャン方向が異なる場合、入力される前記画像信号を、前記ビデオ信号制御手段の行番号を増分して前記バンクメモリに書き込むことを特徴とする無線受信装置。
【発明の詳細な説明】
【技術分野】
【０００１】
本発明は、ＲＧＢバスまたはＣＰＵバスインターフェースを介して入力される画像データを表示する無線受信装置に関する。
【背景技術】
【０００２】
従来、携帯電話などの無線受信装置においては、備え付けのＬＣＤのような表示画面に画像データを出力することでユーザーインターフェースを確立する技術が実現されている。このように無線受信装置にて、画像データを出力する方法では、携帯可能な装置のサイズに合わせた表示画面が使用されるため、見やすさ、わかりやすさという点ではどうしても表示画面サイズに左右される。
【０００３】
よって、ユーザにとって表示画面を見やすく、判りやすくするために、例えば、特許文献１に示すように、携帯電話などの無線受信装置における表示画面を、より大きく表示するテレビジョン画面に表示して、見やすくする方法が知られている。
【特許文献１】特開２００２−３１４６４６号公報
【発明の開示】
【発明が解決しようとする課題】
【０００４】
ところで、特許文献１に開示の無線受信装置では、ＣＰＵは、ＲＧＢバスまたはＣＰＵバスインターフェースを介して入力される画像データをコンポジットビデオ信号に変換してテレビジョン装置に出力させることが考えられる。この場合、ＣＰＵの処理負担が増大し、安定した処理を妨げるという問題がある。
【０００５】
このように、既存の表示画面とは違う装置にユーザーインターフェースを確立する際には、ＣＰＵの負荷を少しでも少なくするとともに、安定して表示することが望まれている。
【０００６】
本発明はかかる点に鑑みてなされたものであり、表示画面を他の表示装置に表示させる際に、処理負担を少なくするとともに安定して表示できる無線受信装置を提供することを目的とする。
【課題を解決するための手段】
【０００７】
本発明の無線受信装置は、画像信号を転送する転送手段と、前記転送手段により転送される画像信号をコンポジットビデオ信号に変換して出力するビデオ信号出力手段とを有し、前記転送手段は、一画面を形成する画像信号を奇数行または偶数行毎に前記ビデオ信号出力手段に転送する構成を採る。
【０００８】
この構成によれば、転送手段からビデオ信号出力手段に転送されるデータ量が半減し、転送手段の転送時の処理負担を減少させることができる。例えば、転送手段に、転送する画像信号を格納するメモリが付随している場合、そのメモリの領域を有効に活用できる。よって、無線受信装置において、表示画面を他の表示装置に表示させる際に、処理負担を少なくして安定して表示できる。
【０００９】
本発明の無線受信装置は、画像信号を転送する転送手段と、前記転送手段により転送される画像信号をコンポジットビデオ信号に変換して出力するビデオ信号出力手段とを有し、前記ビデオ信号出力手段は、前記転送手段から転送される画像信号を格納するビデオ信号記憶手段と、前記ビデオ信号記憶手段に画像信号を読み書きするビデオ信号制御手段とを備え、前記ビデオ信号記憶手段は、転送される前記画像信号のうち垂直同期信号をトリガーに画像データを書き込むライト面、エンコーダ部に画像データを出力するために読み出すリード面、および１画面分前の画像データがすでに書き込み終了しているリード待機面の３画面分のバッファを有する構成を採る。
【００１０】
この構成によれば、ビデオ信号記憶手段での画像データのバッファリングを行うことにより、転送手段から転送され、ビデオ信号制御手段により、ビデオ信号記憶手段に書込まれる画像と、ビデオ信号の出力のために、ビデオ信号制御手段によりビデオ信号記憶手段から読み出される画像の両タイミングが非同期の際も、読書きの追越し、遅れによる不連続画像境界がビデオ出力に出ることを防ぎ、安定して表示処理を行うことができる。
【００１１】
本発明の無線受信装置は、画像信号を転送する転送手段と、前記転送手段により転送される画像信号をコンポジットビデオ信号に変換して出力するビデオ信号出力手段とを有し、前記ビデオ信号出力手段は、前記転送手段から転送される画像信号を格納するビデオ信号記憶手段と、前記ビデオ信号記憶手段に画像信号を読み書きするビデオ信号制御手段とを備え、前記ビデオ信号記憶手段は複数のバンクメモリを有し、前記ビデオ信号制御手段は、転送される前記画像信号のスキャン方向と出力する前記コンポジット信号のスキャン方向が異なる場合、入力される前記画像信号を、前記ビデオ信号制御手段の行番号を増分して前記バンクメモリに書き込む構成を採る。
【００１２】
この構成によれば、画像信号をビデオ信号出力するために読み出す動作をバーストアクセス可能になり、ビデオ信号記憶手段の領域を有効に活用できる。よって、無線受信装置において、表示画面を他の表示装置に表示させる際に、処理負担を少なくして安定して表示処理を行うことができる。
【発明の効果】
【００１３】
以上説明したように、本発明によれば、無線受信装置において、表示画面を他の表示装置に表示させる際に、処理負担を少なくするとともに安定して表示できる。
【発明を実施するための最良の形態】
【００１４】
本発明の骨子は、無線受信装置に備え付けられた表示画面のＲＧＢバスまたはＣＰＵ（ＬＣＤ）バスインターフェースを介して入力される画像信号をコンポジットビデオ信号に変換して安定して出力する。
【００１５】
以下、本発明の実施形態について図面を参照して詳細に説明する。
【００１６】
（実施の形態１）
図１は、本発明の実施の形態１に係る無線受信装置の構成を示すブロック図である。
【００１７】
図１に示す無線受信装置１００は、アプリＣＰＵ（Central Processing Unit）１１０、ＤＳＰ（Digital Signal Processor）１３０、メモリ１５０、ＬＣＤ（Liquid Crystal Display）１７０、ビデオ出力ＬＳＩ（Large Scale Integration）１９０を有する。
【００１８】
アプリＣＰＵ１１０は、メモリ１５０から、メモリ１５０に格納される画像データ（主に静止画）を読み出し、ＬＣＤ１７０およびビデオ出力ＬＳＩ１９０に転送する。また、アプリＣＰＵ１１０は、メモリ１５０からメモリ１５０に格納される画像データ（主に動画）を読み出しＤＳＰ１３０に出力する。
【００１９】
ＤＳＰ１３０は、アプリＣＰＵ１１０によりメモリ１５０から転送される画像データ（主に動画）をＬＣＤ１７０およびビデオ出力ＬＳＩ１９０に転送する。なお、ＬＣＤ１７０は、アプリＣＰＵ１１０によりメモリ１５０から読み出される画像データおよびＤＳＰ１３０から転送される画像データに基づいて画像を表示する。
【００２０】
図２は、ビデオ出力ＬＳＩの構成を示すブロック図である。
【００２１】
図２に示すビデオ出力ＬＳＩ１９０は、外部インターフェース部１９１、画像変換部１９２、エンコーダ部１９３、ＤＡ変換部１９４、ビデオアンプ部１９５、タイミング生成部１９６、制御部１９７、電源部１９８を有する。
【００２２】
外部インターフェース部１９１は、外部ホストプロセッサ（ここでは、アプリＣＰＵ１１０もしくはＤＳＰ１３０）からのＲＧＢバスまたはＣＰＵ（ＬＣＤ）バスから入力される画像データ、水平垂直同期信号をインターフェースする。
【００２３】
また、外部インターフェース部１９１は、ＣＰＵ（ＬＣＤ）バス上のコマンドを介してアプリＣＰＵ１１０から入力される各種コマンドに基づいて制御部１９７に対しての制御や、各種設定を行う。
【００２４】
画像変換部１９２は、外部インターフェース部１９１から入力されるＲＧＢ画像データをマトリックス回路により輝度信号と色差信号に変換し、エンコーダ部１９３に出力する。
【００２５】
エンコーダ部１９３は、人間の眼が画面の細かい部分においては、オレンジ色や肌色付近以外の色を感じなくなるという特性から、画像変換部１９２から入力される色差信号の伝送帯域にそれぞれ制限をかけ、これを搬送波抑圧直角二相変調し、輝度信号に多重する処理を行い、ＤＡ変換部１９４にデジタルビデオ信号として出力する。
【００２６】
ＤＡ変換部１９４は、デジタルビデオ信号をアナログコンポジットビデオ信号に変換し、ビデオアンプ部１９５に出力する。
【００２７】
ビデオアンプ部１９５は、ＤＡ変換部１９４から入力されたアナログコンポジット信号（ＮＴＳＣ（National Television System Committee）方式またはＰＡＬ（Phase Alternation by Line）方式）を増幅してビデオ信号を出力する。
【００２８】
タイミング生成部１９６は、外部（例えば、水晶１９６ａ）から供給される基本クロック信号から、ビデオ出力ＬＳＩ１９０各部に必要な内部タイミングを生成するＰＬＬ（Phase Lock Loop）回路を有し、アプリＣＰＵ１１０からパワーダウンモードへの移行を制御可能とし、パワーダウン時はＰＬＬ回路の動作を停止させて消費電力を低減させる。
【００２９】
制御部１９７は、外部インターフェース部１９１がアプリＣＰＵ１１０からの制御や、各種設定を行うことを受けて、画像変換モード、ビデオ出力方式選択、リセット、パワーダウン等を行うために、ビデオ出力ＬＳＩ１９０の各部に出力される制御信号を生成する。
【００３０】
このように無線受信装置１００に備え付けられたＬＣＤ（表示画面）１７０に、ＲＧＢバスまたはＣＰＵ（ＬＣＤ）バスインターフェースを介して入力される画像信号をコンポジットビデオ信号に変換して出力するようにしたことにより、無線受信装置の表示画面をＴＶ画面に映し出せる。
【００３１】
図３は、図２に示す本実施の形態１に係る無線受信装置において、アプリＣＰＵ１１０からビデオ出力ＬＳＩ１９０に転送される画像データを説明するための図である。なお、図３は、アプリＣＰＵによりＶＧＡサイズの画像データをビデオ出力ＬＳＩに出力する場合を示す図であり、図３（ａ）は画面の状態を示す図であり、図３（ｂ）は図３（ａ）における画像データの水平同期信号の波形を示す図である。
【００３２】
図３に示すように、無線受信装置１００では、アプリＣＰＵ１１０は、ＶＧＡ（Video Graphics Array:６４０×４８０ の解像度）サイズの画像データＧ１を水平方向にメモリ１５０から読み出し、ビデオ出力ＬＳＩ１９０に転送する。
【００３３】
このとき、アプリＣＰＵ１１０によりビデオ出力ＬＳＩ１９０に転送する信号は、図３（ａ）で図示された右側の画面Ｇ２および図３（ｂ）の水平同期信号の波形Ｈ２に示すように、画像データが奇数行（図中ｂ１、ｂ２で示す）、偶数行ごとに転送されるものとなっている。
【００３４】
つまり、無線受信装置１００では、外部インターフェース部１９１は、図３（ａ）の左側のＶＧＡ画像Ｇ１及び、図３（ｃ）に示すその波形Ｈ１に示すように水平同期信号に同期して、画像データがライン毎に転送されるのではない。図３（ａ）、（ｃ）に示すａ１、ａ２、ａ３は転送される画像データのラインの順序を示す。
【００３５】
詳細には、ビデオ出力ＬＳＩ１９０の外部インターフェース部１９１は、アプリＣＰＵ１１０から転送される画像データの内、奇数行、もしくは偶数行の画像データのみを画像変換部１９２に出力する。
【００３６】
これは、テレビ等に入力される映像信号は、画面のちらつきを少なくするためにインタレース操作を採用し、垂直方向の画素密度を下げる代わりに、フィールド周波数を２倍にする方式をとるためのである。
【００３７】
本実施の形態によれば、無線受信装置１００では、画像データをライン毎に転送するのではなく、奇数行、偶数行ごとに画像データを転送することにより、アプリＣＰＵ１１０がビデオ出力ＬＳＩ１９０に転送する画像データ量が半減する。このため、アプリＣＰＵ１１０に付随しているメモリ１５０の領域を有効に活用できる。
【００３８】
（実施の形態２）
図４は本発明の実施の形態２に係る無線受信装置の構成を示すブロック図である。なお、この図４に示す無線受信装置２００は、図１に示す実施の形態１に対応する無線受信装置１００と同様の基本的構成を有している。したがって、実施の形態１と異なる構成のみ説明し、同一の構成要素には同一の符号を付し、その説明を省略する。
【００３９】
図４に示す無線受信装置２００は、アプリＣＰＵ（Central Processing Unit）１１０、ＤＳＰ（Digital Signal Processor）１３０、メモリ１５０、ＬＣＤ（Liquid Crystal Display）１７０、ビデオ出力ＬＳＩ（Large Scale Integration）２１０に加えて、ビデオ出力ＬＳＩ専用メモリ２１１を有する。
【００４０】
ビデオ出力ＬＳＩ専用メモリ２１１は、ビデオ出力ＬＳＩ２１０に接続され、ビデオ出力ＬＳＩ２１０によりデータが書き込まれ、また、書き込まれたデータを読み出される。
【００４１】
図５は、本実施の形態２に係る無線受信装置２００のビデオ出力ＬＳＩ２１０の構成を説明するブロック図である。なお、この図５に示すビデオ出力ＬＳＩ２１０は、図２に示す実施の形態１に対応するビデオ出力ＬＳＩ１９０と同様の基本的構成を有している。したがって、実施の形態１と異なる構成のみ説明し、同一の構成要素には同一の符号を付し、その説明を省略する。
【００４２】
すなわち、図５に示すビデオ出力ＬＳＩ２１０は、外部インターフェース部１９１、画像変換部２０５、エンコーダ部２３０、ＤＡ変換部１９４、ビデオアンプ部１９５、タイミング生成部１９６、制御部１９７、電源部１９８に加えて、メモリ制御部２２０を有する。
【００４３】
画像変換部２０５は、外部インターフェース部１９１から入力されるＲＧＢ画像データをマトリックス回路により輝度信号と色差信号に変換し、メモリ制御部２２０に出力する。
【００４４】
メモリ制御部２２０は、画像変換部２０５から入力される変換された画像データをビデオ出力ＬＳＩ専用メモリ２１１に出力して、書き込む。
【００４５】
また、メモリ制御部２２０は、ビデオ出力ＬＳＩ専用メモリ２１１に書き込まれた画像データを読み込み、エンコーダ部２３０にその画像データを出力する。このメモリ制御部２２０は、ビデオ出力ＬＳＩ専用メモリ２１１を、画像変換部２０５により変換された画像変換データのバッファリングとして機能させる。
【００４６】
エンコーダ部２３０は、人間の眼が画面の細かい部分においては、オレンジ色や肌色付近以外の色を感じなくなるという特性から、メモリ制御部２２０から入力される色差信号の伝送帯域にそれぞれ制限をかけ、これを搬送波抑圧直角二相変調し、輝度信号に多重する処理を行い、ＤＡ変換部１９４にデジタルビデオ信号として出力する。
【００４７】
なお、このエンコーダ部２３０は、メモリ制御部２２０からの画像データが入力された後、出力先の画面の大きさに対応する拡大処理（補間処理）をしてデジタルビデオ信号として出力する。
【００４８】
このように無線受信装置２００では、ビデオ出力ＬＳＩ専用メモリ２１１により、画像変換部２０５での画像変換データのバッファリングを行える。このため、ビデオ出力ＬＳＩ２１０は、外部インターフェース部１９１を介して書込まれる画像と、ビデオ出力の読出し画像の両タイミングが非同期である際にも、無線受信装置２００の表示画面、つまり、ＬＣＤ１７０に表示される表示画面をＴＶ画面に映し出すことができる。
【００４９】
ここで、メモリ制御部２２０の処理について詳細に説明する。図６は、図５に示す無線受信装置２００におけるメモリ制御部の処理を説明するための図である。
【００５０】
メモリ制御部２２０は、図６に示すように、画像変換部２０５から出力される画像変換データを記憶する入力バッファ用ラインメモリ２２１と、ビデオ出力ＬＳＩ専用メモリ２１１から読み込む画像データを記憶する出力バッファ用ラインメモリ２２２とを有する。
【００５１】
メモリ制御部２２０は、入力バッファ用ラインメモリ２２１に記憶された画像変換データを所定のタイミングでビデオ出力ＬＳＩ専用メモリ２１１に書き込む（入力する）。
【００５２】
また、メモリ制御部２２０は、出力バッファ用ラインメモリ２２２に記憶された画像データをエンコーダ部２３０に読み出す（出力する）。
【００５３】
図７は、図６に示すビデオ出力ＬＳＩ専用メモリ２１１の構成を説明するための図である。図７に示すビデオ出力ＬＳＩ専用メモリ２１１は、垂直同期信号をトリガーに画像変換データを書き込むためのライト面２１２、エンコーダ部２３０に画像データを出力するために読み出すリード面２１４、１画面分前の画像変換データがすでに書き込み終了しているリード待機面２１３の３画面分のバッファを有する。ただし、リード待機面２１３は、１画面分の画像データをすでに読み出し終了しているライト待機面２１３にもなり得る。
【００５４】
図６及び図７に示すように、メモリ制御部２２０は、画像変換部２０５から出力される画像変換データを入力バッファ用ラインメモリ２２１に貯めこみ、所定のタイミングでビデオ出力ＬＳＩ専用メモリ２１１に書き込む。
【００５５】
ここでは、ビデオ出力ＬＳＩ専用メモリ２１１は３画面分のバッファを持つもっている。このとき、画像変換部２０５から出力される画像変換データを１画面分書き込み終了すると、次の画面変換データが転送された際は、ライト待機面２１３もしくはリード待機面２１３をライト面２１２に、ライト面２１２をリード待機面２１３に切り替える。
【００５６】
また、メモリ制御部２２０は、エンコーダ部２３０に画像データを出力するために読み出す際、１画面分の読み込みを終了すると、リード待機面２１３をリード面２１４に、リード面２１４をライト待機面２１３に切り替える。もし、待機面２１３がライト待機面であるなら、リード面はライト待機面としての切り替えを行わない。
【００５７】
本実施の形態によれば、メモリ制御部２２０が、画像変換部２０５から出力される画像変換データをビデオ出力ＬＳＩ専用メモリ２１１に書き込み、ビデオ出力ＬＳＩ専用メモリ２１１から画像データをエンコーダ部２３０に読み出すときに、ビデオ出力ＬＳＩ専用メモリ２１１に３画面分のバッファを持たせている。
【００５８】
このため、外部インターフェース部１９１を介して書き込まれる画像とビデオ出力の読み出し画像の両タイミングが非同期の際も、読書きの追越し、遅れによる不連続画像境界がビデオ出力として出力されることを防ぐことができる。
【００５９】
なお、上記構成の無線受信装置２００において、ビデオ出力ＬＳＩ専用メモリ２１１としてＳＤＲＡＭ（Synchronus Dynamic RAM）を用いてもよい。次に、ビデオ出力ＬＳＩ専用メモリ２１１にＳＤＲＡＭを用いた例を変形例として説明する。
【００６０】
(変形例)
この実施の形態２の変形例としての無線受信装置は、図５において、メモリ制御部２２０によるビデオ出力ＬＳＩ専用メモリ２１１への画像変換データの書き込み処理および読み出し処理が上述した実施の形態２の無線受信装置２００と異なる点を除いて、他の構成は実施の形態２の無線受信装置２００と同様の構成を有する。このため、以下では、変形例は、実施の形態２で用いた図５に示す構成を参照して説明する。
【００６１】
図８は、変形例としての無線受信装置において、ＳＤＲＡＭに対するメモリ制御部の処理を説明するための図である。図８（ａ）は、メモリ制御部の処理を説明するための画像データの一例を示す図であり、図８（ｂ）は、変形例におけるビデオ出力ＬＳＩ専用メモリの内部構成の一例を示す図である。なお、図８（ａ）に示す携帯画像Ｇ３及びＴＶ画面Ｇ４において、一方向を示す黒矢印は無線受信装置におけるスキャン方向を示す。
【００６２】
なお、この図８（ｂ）に示すように、変形例におけるビデオ出力ＬＳＩ専用メモリは、バンクＡおよびバンクＢの２つのバンクでメモリが分割されており、２４０×３２０個の画像変換データが書き込み可能となっている。なお、２４０×３２０個の画像変換データは、図８中では、Ｎ１、Ｎ２、…Ｎ２４０×３２０として示す。
【００６３】
この無線受信装置２００の変形例におけるメモリ制御部２２０では、図８（ａ）に示すように、アプリＣＰＵ１１０もしくはＤＳＰ１３０からの携帯画像Ｇ３を構成する画像データのスキャン（読み取り）方向（矢印Ｓ３で示す）とＴＶ画面Ｇ４に出力するスキャン方向（矢印Ｓ４で示す）が異なる場合、ＳＤＲＡＭであるビデオ出力ＬＳＩ専用メモリ２１１ａ（図８（ｂ）参照）における行番号（ＲＯＷ）をインクリメントして、ビデオ出力ＬＳＩ専用メモリ２１１ａに書き込む（図８中Ｔ１参照）。
【００６４】
また、このメモリ制御部２２０は、アプリＣＰＵ１１０もしくはＤＳＰ１３０からの次のラインの画像データが入力されると、ビデオ出力ＬＳＩ専用メモリ２１１内に、次の列番号（ＣＯＬＵＭＮ）で、先の処理と同様に行番号（ＲＯＷ）をインクリメントして書き込む（図８中Ｔ１及び図８（ｂ）参照）。
【００６５】
つまり、このメモリ制御部２２０は、ビデオ出力ＬＳＩ専用メモリ２１１ａに対し、書き込み時には、シングルアクセスを行っている。なお、このシングルアクセスの際には、ＲＯＷ番号が異なるため、１個のデータに４〜５クロックを要する。ここでは、２４０個の画像データを書き込むため、２４０×４クロックの時間を要している。
【００６６】
また、メモリ制御部２２０は、ビデオ出力ＬＳＩ専用メモリ２１１ａから画像データを読み見込み際には、同じＲＯＷ列の画像データであれば、連続して画像データを読み込む所謂バーストアクセスにより行う。
【００６７】
つまり、図８（ｂ）に示すように、メモリ制御部２２０では、ビデオ出力ＬＳＩ専用メモリ２１１ａ内の各バンク内で、No１（図中、Ｎ１で示す）、No２４１（図中、Ｎ２４１で示す）、No４８１、・・・・図中、Ｎ２４０×３２０で示すNo(２４０×３１９＋１)の３２０個の画像データを連続して読み込む。このとき、処理時間としては、３２０クロック時間を要する。
【００６８】
この変形例によれば、ビデオ出力ＬＳＩ専用メモリ２１１ａとしてＳＤＲＡＭを用いる場合、外部ホストプロセッサであるアプリＣＰＵ１１０もしくはＤＳＰ１３０からの画像データを、ビデオ出力ＬＳＩ専用メモリ（ＳＤＲＡＭ）の行番号（ＲＯＷ）をインクリメントしてビデオ出力ＬＳＩ専用メモリ２１１ａに書き込むというアドレッシングを行う。
【００６９】
これにより、画像データをＴＶ画面Ｇ４に出力するために読み出す動作をバーストアクセス可能になり、ビデオ出力ＬＳＩ専用メモリ２３０ａの領域を有効に活用できる。よって、無線受信装置において、表示画面を他の表示装置に表示させる際に、効率よく安定して表示処理を行うことができる。
【産業上の利用可能性】
【００７０】
本発明に係る無線受信装置は、表示画面を他の表示装置に表示させる際に、処理負担を少なくするとともに安定して表示できるという効果を有し、無線受信装置として有用である。
【図面の簡単な説明】
【００７１】
【図１】本発明の実施の形態１に係る無線受信装置の構成を示すブロック図
【図２】本実施の形態１に係る無線受信装置のビデオ出力ＬＳＩの構成を説明するブロック図
【図３】図２に示すアプリＣＰＵからビデオ出力ＬＳＩに転送される画像データを説明するための図
【図４】本発明の実施の形態２に係る無線受信装置の構成を示すブロック図
【図５】本実施の形態２に係る無線受信装置のビデオ出力ＬＳＩの構成を説明するブロック図
【図６】図５に示すメモリ制御部の処理を説明するための図
【図７】図６に示すビデオ出力ＬＳＩ専用メモリの構成を説明するための図
【図８】変形例としての無線受信装置において、ＳＤＲＡＭに対するメモリ制御部の処理を説明するための図
【符号の説明】
【００７２】
１００、２００  無線受信装置
１１０  アプリＣＰＵ
１３０  ＤＳＰ
１５０  メモリ
１９０、２１０  ビデオ出力ＬＳＩ
１９１  外部インターフェース部
１９２、２０５  画像変換部
１９３、２３０  エンコーダ部
１９４  ＤＡ変換部
１９５  ビデオアンプ部
１９６  タイミング生成部
２１１、２１１ａ  ビデオ出力ＬＳＩ専用メモリ
２１２  ライト面
２１３  待機面
２１４  リード面
２２０  メモリ制御部
【図１】
2005260582.tif 000003
【図２】
2005260582.tif 000004
【図３】
2005260582.tif 000005
【図４】
2005260582.tif 000006
【図５】
2005260582.tif 000007
【図６】
2005260582.tif 000008
【図７】
2005260582.tif 000009
【図８】
2005260582.tif 000010